(57)【要約】    【課題】単一の制御機に備えられる複数の制御プログラムに対応した対応テーブルを参照して、機能の異なる複数の居室親機に該当した制御プログラムを能動とする。    【解決手段】機能の異なる複数の居室親機１ａ、１ｂ、・・・、２ａ、２ｂ、・・・、集合玄関機３、管理室親機４をそれぞれ制御する制御機５は、居室親機の起動時に伝送されてくる当該居室親機が有する機能を表わすコードが付加された識別信号により、複数の制御プログラム５４、５５のうち、どの制御プログラムで動作させるのかを対応テーブル５６から選択して、選択された制御プログラムを能動とする。また、制御機の対応テーブルの記憶内容は、居室親機と制御機とが接続される居室親機の起動時において書き換えることができる。    【選択図】  図１
2005079685.tif 000002
【特許請求の範囲】
【請求項１】
機能の異なる複数の居室親機（１ａ、１ｂ、・・・、２ａ、２ｂ、・・・）を制御機（５）を介して集合玄関機（３）、管理室親機（４）にそれぞれ接続して構成され、
前記制御機は、前記機能の異なる複数の居室親機をそれぞれ制御するための複数の制御プログラム（５４、５５、・・・）と、前記居室親機の起動時に伝送されてくる識別信号により各居室親機が前記複数の制御プログラムのうち、どの制御プログラムで動作するのかを選択して記憶するための対応テーブル（５６）とを備え、前記居室親機が前記対応テーブルに基づいて選択された制御プログラムを能動とすることを特徴とする集合住宅インターホンシステム。
【請求項２】
前記対応テーブルは、前記居室親機と前記制御機とが接続されて前記居室親機の起動時に書換可能であることを特徴とする請求項１記載の集合住宅インターホンシステム。
【請求項３】
前記識別信号は、前記居室親機が有する機能を表わすコードから成ることを特徴とする請求項１または請求項２記載の集合住宅インターホンシステム。
【発明の詳細な説明】
【技術分野】
【０００１】
本発明は集合住宅インターホンシステムに係り、特に、異なる機能を有する複数の居室親機を単一の制御機に接続して制御させることができる集合住宅インターホンシステムに関する。
【背景技術】
【０００２】
従来から、この種の集合住宅インターホンシステムとして、集合住宅の各住戸内に設置される複数の居室親機、集合住宅の集合玄関に設置される集合玄関機、集合住宅の管理室内等に設置される管理室親機をそれぞれ制御機が制御する、例えば、集合玄関機から特定の居室親機または管理室親機への呼出時における呼出先の居室親機または管理室親機での呼出報知や呼出元の集合玄関機および呼出先の居室親機または管理室親機の間の通話路の形成、特定の居室親機から管理室親機への呼出時における呼出先の管理室親機での呼出報知や呼出元の居室親機および呼出先の管理室親機の間の通話路の形成、管理室親機から特定の居室親機への呼出時における呼出先の居室親機での呼出報知や呼出元の管理室親機および呼出先の居室親機の間の通話路の形成等を制御する集合住宅インターホンシステムが提案されている（例えば、特許文献１を参照）
【０００３】
【特許文献１】特開２０００−２７８４２１号公報（段落番号０００２〜０００６、図２）
【発明の開示】
【発明が解決しようとする課題】
【０００４】
しかしながら、従来例の集合住宅インターホンシステムにおいて、制御機は、複数の居室親機をそれぞれ制御するにあたり、単一の制御プログラムに基づいて動作制御を行っていたことから、複数の居室親機が有する機能が異なっていた場合、例えば、高齢者向けの居室親機や一般者向けの居室親機のように機能が異なっていた場合には、異なる機能毎専用の制御機が必要とされ、施工コストが増大する難点があった。
【０００５】
本発明は、上述の難点を解消するためになされたもので、単一の制御機に備えられる複数の制御プログラムに対応した対応テーブルを参照して、機能の異なる複数の居室親機に該当した制御プログラムを能動とすることができる集合住宅インターホンシステムを提供することを目的としている。
【課題を解決するための手段】
【０００６】
上述の目的を達成するため、本発明の第１の態様である集合住宅インターホンシステムは、機能の異なる複数の居室親機を制御機を介して集合玄関機、管理室親機にそれぞれ接続して構成されている。制御機は、機能の異なる複数の居室親機をそれぞれ制御するための複数の制御プログラムと、居室親機の起動時に伝送されてくる識別信号により各居室親機が複数の制御プログラムのうち、どの制御プログラムで動作するのかを選択して記憶するための対応テーブルとを備え、居室親機が対応テーブルに基づいて選択された制御プログラムを能動とするものである。
【０００７】
本発明の第１の態様は本発明の第２の態様である集合住宅インターホンシステムにおいて、対応テーブルは、居室親機と制御機とが接続されて居室親機の起動時に書換可能である。
【０００８】
本発明の第１の態様または第２の態様は本発明の第３の態様である集合住宅インターホンシステムにおいて、識別信号は、居室親機が有する機能を表わすコードから成る。
【発明の効果】
【０００９】
本発明の集合住宅インターホンシステムの第１の態様によれば、機能の異なる複数の居室親機、集合玄関機、管理室親機をそれぞれ制御する制御機は、居室親機の起動時に伝送されてくる識別信号により、複数の制御プログラムのうち、どの制御プログラムで動作させるのかを対応テーブルから選択して記憶することができ、居室親機は、対応テーブルにて選択された制御プログラムを能動とすることができる。これにより、機能の異なる複数の居室親機を単一の制御機にて制御することができる。
【００１０】
本発明の集合住宅インターホンシステムの第２の態様によれば、居室親機と制御機とが接続される居室親機の起動時において、制御機の対応テーブルの記憶内容を書き換えることができる。
【００１１】
本発明の集合住宅インターホンシステムの第３の態様によれば、居室親機が有する機能を表わすコードを居室親機の起動時に伝送されてくる識別信号に付加することができる。
【発明を実施するための最良の形態】
【００１２】
以下、本発明の集合住宅インターホンシステムを適用した最良の実施の形態例について、図面を参照して説明する。
【００１３】
図１は、本発明の実施例による集合住宅インターホンシステムの構成を示すブロック図である。
【００１４】
図１のブロック図に示す集合住宅インターホンシステムは、集合住宅の各住戸内に設置される機能の異なる複数の居室親機、ここでは、集合住宅の１階から５階までの各住戸の居住者が高齢であり、この居住者が使用する相談操作機能、人感検知機能、セキュリティ異常検出機能、非常通報機能等を備えた居室親機（以下、高齢者向け居室親機という。）１ａ、１ｂ、・・・および集合住宅の６階以上の各住戸の居住者が一般の居住者であり、この居住者が使用する居室親機（以下、一般者向け居室親機という。）２ａ、２ｂ、・・・と、集合住宅の集合玄関に設置され、来訪者が住戸内に在室中である高齢の居住者や一般の居住者または管理室内等に在室中の管理人を呼び出して通話を成立させるための機能を有する集合玄関機３と、集合住宅の管理室内等に設置され、来訪者または高齢の居住者や一般の居住者からの呼び出しを確認した管理人が通話を成立させるための機能および管理人が高齢の居住者や一般の居住者を呼び出して通話を成立させるための機能を有する管理室親機４と、居室親機ラインＬ1を介してバス接続された高齢者向け居室親機１ａ、１ｂ、・・・および一般者向け居室親機２ａ、２ｂ、・・・、玄関機ラインＬ2を介して接続された集合玄関機３、管理室親機ラインＬ3を介して接続された管理室親機４をそれぞれ制御するための制御機５とから構成されている。
【００１５】
また、高齢者向け居室親機１ａ、１ｂ、・・・および一般者向け居室親機２ａ、２ｂ、・・・は、それぞれ同様な構成であり、当該居室親機の構成各部を制御するための制御回路（以下、居室親機制御回路という。）１０と、居室親機制御回路１０および居室親機ラインＬ1の間の信号／データ伝送路を形成するためのインターフェース（以下、居室親機Ｉ／Ｆという。）１１と、当該居室親機が有する所定の居室番号（詳述せず）や高齢者向け、一般者向けの設定を行うための設定部１２と、設定部１２にて設定された所定の居室番号および高齢者向け、一般者向けの各機能を示すコード、当該居室親機を動作させるための高齢者用動作プログラムまたは一般者用動作プログラム等が記憶される制御プログラム（以下、居室親機制御プログラムという。）１３と、集合玄関機３にて呼出操作を行った来訪者、管理室親機４にて呼出操作を行った管理人からの呼び出しを呼出音の放音、映像の表示等に基づいて報知するばかりでなく、後述する操作部１５にて行われる高齢の居住者や一般の居住者による呼出操作の操作内容を表示するための拡声スピーカ、モニタ等の発報・表示部１４と、上述の来訪者または管理人からの呼び出しを確認した高齢の居住者や一般の居住者が応答するために操作する通話ボタン等の操作部１５と、応答操作を行った高齢の居住者や一般の居住者、または呼出元である高齢の居住者や一般の居住者が上述の来訪者または管理人との間で通話を成立させるために使用するハンドセット等の通話部１６とが備えられている。
【００１６】
なお、高齢者向け居室親機１ａ、１ｂ、・・・および一般者向け居室親機２ａ、２ｂ、・・・の居室親機制御プログラム１３（１３、１３、・・・、１３、１３、・・・）に記憶される高齢者用動作プログラムまたは一般者用動作プログラムとは、集合玄関に居る来訪者が集合玄関機３にて所定の呼出操作を行った場合の発報・表示部１４での具体的な呼出報知の動作、管理室内等に在室中の管理人が管理室親機４にて所定の呼出操作を行った場合の発報・表示部１４での具体的な呼出報知の動作、住戸内に在室中の高齢の居住者または一般の居住者が上述の来訪者または管理人からの呼び出しに応答して通話を成立させるために使用する操作部１５および通話部１６での具体的な応答および通話の動作、同様の居住者が上述の管理人を呼び出して通話を成立させるために使用する操作部１５および通話部１６での呼出通話の動作等の各種動作プログラムが含まれる。
【００１７】
さらに、制御機５は、当該制御機の構成各部を制御するための制御回路（以下、制御機制御回路という。）５０と、制御機制御回路５０および居室親機ラインＬ1の間の信号／データ伝送路を形成するためのインターフェース（以下、居室親機側制御機Ｉ／Ｆという。）５１と、制御機制御回路５０および玄関機ラインＬ2の間の信号／データ伝送路を形成するためのインターフェース（以下、玄関機側制御機Ｉ／Ｆという。）５２と、制御機制御回路５０および管理室親機ラインＬ3の間の信号／データ伝送路を形成するためのインターフェース（以下、管理室親機側制御機Ｉ／Ｆという。）５３と、高齢者向け居室親機１ａ、１ｂ、・・・および一般者向け居室親機２ａ、２ｂ、・・・をそれぞれ制御するための複数の制御プログラム、ここでは、高齢者用制御プログラム５４および一般者用制御プログラム５５と、高齢者向け居室親機１ａ、１ｂ、・・・および一般者向け居室親機２ａ、２ｂ、・・・の起動時、例えば、当該居室親機の居室親機Ｉ／Ｆ１１と居室親機ラインＬ1を介して当該制御機の居室親機側Ｉ／Ｆ５１との接続時において居室親機制御回路１０から送出され居室親機ラインＬ1を介して伝送されてくる当該居室親機が有する各機能、すなわち、高齢者向け、一般者向けの各機能を表わすコードが付加された識別信号を検出した制御機制御回路５０の制御により、複数の制御プログラムである高齢者用制御プログラム５４および一般者用制御プログラム５５のうち、どの制御プロプラムを能動とするのかを選択して記憶するための対応テーブル５６とが備えられている。
【００１８】
このように構成された本発明の実施例による集合住宅インターホンシステムにおいて、以下、具体的な動作について説明する。
【００１９】
図１のブロック図に示す制御機５の居室親機側制御機Ｉ／Ｆ５１に接続された居室親機ラインＬ1へと（機能の異なる複数の居室親機である）高齢者向け居室親機１ａ、１ｂ、・・・および一般者向け居室親機２ａ、２ｂ、・・・の居室親機Ｉ／Ｆ１１（１１、１１、・・・、１１、１１、・・・）を接続させる当該居室親機の起動時、例えば、制御機５の居室親機側制御機Ｉ／Ｆ５１に接続された居室親機ラインＬ1へと高齢者向け居室親機１ａの居室親機Ｉ／Ｆ１１を接続させる起動時において、高齢者向け居室親機１ａの居室親機制御回路１０は、施工業者等により設定部１２にて予め設定されており居室親機制御プログラム１３に記憶されている所定の居室番号と当該高齢者向け居室親機が有する高齢者向けの機能を表すコード（以下、高齢者用コードという。）を付加させた識別信号を居室親機Ｉ／Ｆ１１に出力する。この識別信号は、居室親機Ｉ／Ｆ１１から居室親機ラインＬ1、制御機５の居室親機側制御機Ｉ／Ｆ５１を介して制御機制御回路５０へと伝送される。
【００２０】
なお、ここでは、高齢者向け居室親機１ａの居室親機Ｉ／Ｆ１１のみが居室親機ラインＬ1へと接続されており、その他の高齢者向け居室親機１ｂ、・・・および一般者向け居室親機２ａ、２ｂ、・・・の居室親機Ｉ／Ｆ１１（１１、・・・、１１、１１、・・・）は居室親機ラインＬ1に接続されていないものとする。
【００２１】
制御機５の制御機制御回路５０は、高齢者向け居室親機１ａからの識別信号に付加されている所定の居室番号および高齢者用コードを対応テーブル５６に記憶させ、居室親機１ａに対応したコードが予め記憶されている場合には高齢者用コードへと書き換えるとともに、複数の制御プログラムである高齢者用制御プログラム５４および一般者用制御プログラム５５のうち、所定の居室番号に対応して高齢者用コードから表される高齢者用制御プログラム５４を能動とする。
【００２２】
上述のように、高齢者向け居室親機１ａの居室親機Ｉ／Ｆ１１を居室親機ラインＬ1へと接続させたように、他の高齢者向け居室親機１ｂ、・・・および一般者向け居室親機２ａ、２ｂ、・・・を居室親機ラインＬ1へとそれぞれ接続させる起動時において、制御機５の制御機制御回路５０は、その他の高齢者向け居室親機１ｂ、・・・および一般者向け居室親機２ａ、２ｂ、・・・からそれぞれ伝送されてくる識別信号に付加された所定の居室番号および高齢者用コード、または所定の居室番号および一般者用コードを対応テーブル５６に記憶させ、各それぞれの居室親機１ｂ、・・・、２ａ、２ｂ、・・・に対応したコードが予め記憶されている場合には高齢者用コードまたは一般者用コードへと書き換えることができるばかりでなく、所定の居室番号に対応して高齢者用コードまたは一般者用コードから表される高齢者用制御プログラム５４または一般者用制御プログラム５５を能動とすることができる（詳述せず）。
【００２３】
次に、上述のような制御機５の対応テーブル５６への記憶（新規、書き換え）や所定の居室番号に対応して高齢者用コードまたは一般者用コードから表される高齢者用制御プログラム５４または一般者用制御プログラム５５が能動とされた後において、例えば、集合玄関に居る来訪者が高齢者向け居室親機１ａが設置された住戸内に在室中である高齢の居住者を呼び出すために集合玄関機３にて所定の呼出操作を行うと、高齢者用居室親機１ａが有する居室番号を付加させた呼出信号が玄関機ラインＬ2へと出力され、この呼出信号は、玄関機ラインＬ2から制御機５の玄関機側制御機Ｉ／Ｆ５２を介して制御機制御回路５０へと伝送される。
【００２４】
制御機５の制御機制御回路５０は、集合玄関機３からの呼出信号に付加されている所定の居室番号に基づいて、集合玄関に居る来訪者から高齢者向け居室親機１ａが設置された住戸内に在室中である高齢の居住者への呼び出しがあることを検出するとともに、集合玄関機３からの呼出信号を高齢者向け居室親機１ａに割り当てられた能動状態の高齢者向け制御プログラム５４から読み出される所定の信号フォーマットへと信号処理して居室親機側制御機Ｉ／Ｆ５１に出力する。この呼出信号は、居室親機側制御機Ｉ／Ｆ５１から居室親機ラインＬ1、高齢者向け居室親機１ａ、１ｂ、・・・および一般者向け居室親機２ａ、２ｂ、・・・の居室親機Ｉ／Ｆ１１（１１、１１、・・・、１１、１１、・・・）を介して居室親機制御回路１０（１０、１０、・・・、１０、１０、・・・）へとそれぞれ伝送される。
【００２５】
高齢者向け居室親機１ａ、１ｂ、・・・および一般者向け居室親機２ａ、２ｂ、・・・の居室親機制御回路１０（１０、１０、・・・、１０、１０、・・・）は、制御機５を介した集合玄関機３からの呼出信号に付加されている所定の居室番号と自居室親機が有する居室番号とをそれぞれ照合し、一致した場合にのみ集合玄関機３にて呼出操作を行った来訪者からの呼び出しを有効であると判断し、居室親機制御プログラム１３（１３、１３、・・・、１３、１３、・・・）に予め記憶されている高齢者用動作プログラムまたは一般者用動作プログラムに基づいて呼出報知を行う。ここでは、高齢者向け居室親機１ａのみ居室番号が一致し、居室親機制御プログラム１３に予め記憶されていた高齢者用動作プログラムに基づく呼出報知、例えば、発報・表示部１４を制御して一般の居住者への音量よりも大きな音量の呼出音を放音させたり、より視認性の高い表示で呼出報知を行う。
【００２６】
また、上述の呼出報知を確認した高齢の居住者が、高齢者向け居室親機１ａの操作部１５を使用して所定の応答操作を行うと、この応答操作を検出した居室親機制御回路１０および制御機５の制御機制御回路５０の制御により、呼出先である高齢の居住者が使用する高齢者向け居室親機１ａの通話部１６と、居室親機制御回路１０、居室親機Ｉ／Ｆ１１、居室親機ラインＬ1、制御機５の居室親機側制御機Ｉ／Ｆ５１、制御機制御回路５０、玄関機側制御機Ｉ／Ｆ５２、玄関機ラインＬ2を介して呼出元の来訪者が使用する集合玄関機３の通話機能（詳述せず）との間の通話路が形成され、形成された通話路を介して音声信号を送受信させることにより通話が成立する。
【００２７】
なお、本発明の実施例による集合住宅インターホンシステムでは、異なる機能を有する複数の居室親機として、高齢者向け居室親機１ａ、１ｂ、・・・および一般者向け居室親機２ａ、２ｂ、・・・を適用し、これらの居室親機１ａ、１ｂ、・・・、２ａ、２ｂ、・・・により能動となる複数の制御プログラムとして高齢者用制御プログラム５４および一般者用制御プログラム５５を制御機５に備えたが、複数の居室親機が有する機能としては高齢者向け、一般者向けに限定されず、聴覚障害、視覚障害等の障害者向けの居室親機も好適とされ、この居室親機を適用するにあたり、制御機５には障害者用の制御プログラムが備えられる。
【図面の簡単な説明】
【００２８】
【図１】図１は、本発明の実施例による集合住宅インターホンシステムの構成を示すブロック図である。
【符号の説明】
【００２９】
１ａ、１ｂ、・・・ ……複数の高齢者向け居室親機（機能の異なる複数の居室親機）
２ａ、２ｂ、・・・ ……複数の一般者向け居室親機（機能の異なる複数の居室親機）
３……集合玄関機
４……管理室親機
５……制御機
５４……高齢者用制御プログラム（複数の制御プログラム）
５５……一般者用制御プログラム（複数の制御プログラム）
５６……対応テーブル
【図１】
2005079685.tif 000003